(57)【特許請求の範囲】
【請求項１】
患者情報を記録した患者カルテデータベースと、
複像及び眼位の機能回復レベルに応じた複数のパラメータを設定した複数の機能回復項目を記録した機能回復データテーブルと、複像及び眼位の検査レベルに応じた複数のパラメータを設定した複数の検査項目を記録した検査データテーブルと、機能回復結果の論理的矛盾を判定する判定条件を記録した論理的矛盾判定テーブルと、を格納した検査・機能回復データベースと、
データを入力するための入力部と、
前記検査・機能回復データベースを参照してパラメータを設定した検査プログラムを生成する検査部と、
前記機能回復項目及び機能回復プログラムを実行中の画像を表示する表示部と、
前記検査・機能回復データベースを参照してパラメータを設定した機能回復プログラムを生成する機能回復部と、
前記患者カルテデータベースと前記検査・機能回復データベースを参照して前記表示部と前記機能回復部を制御する制御部と、を備える機能回復システムであって、
前記複数の機能回復項目の少なくとも一部は、機能回復対象筋を同定した筋作用方向に基づいて眼球の回転角度の変更を生じさせることが可能なパラメータが設定されるものであり、
前記制御部が、
前記入力部から入力された患者情報をキーとして前記患者カルテデータベースから患者毎の検査項目を検索する第１ステップと、
前記第１ステップにより検索した前記検査項目を前記表示部に表示し、前記入力部を用いて検査項目の入力を受け付ける第２ステップと、
前記第２ステップにより受け付け、前記第１ステップにより検索した複数のパラメータが設定された検査項目に応じた検査プログラムを前記検査部に生成させる第３ステップと、
前記第３ステップにより生成された前記検査プログラムに応じた検査表示を前記表示部に表示させる第４ステップと、
前記入力部から入力された患者情報をキーとして前記患者カルテデータベースから患者毎の機能回復項目を検索する第１１ステップと、
前記第１１ステップにより検索した前記機能回復項目を前記表示部に表示し、前記入力部を用いて機能回復項目の入力を受け付ける第１２ステップと、
前記第１２ステップにより受け付け、前記第１１ステップにより検索した複数のパラメータが設定された機能回復項目、および前記第４ステップにおける検査の結果に基づく複数のパラメータが設定された機能回復項目に応じた機能回復プログラムを前記機能回復部に生成させる第１３ステップと、
前記第１３ステップにより生成された前記機能回復プログラムに応じて、眼球の動きに角度の変更を生じさせる適度な負荷を繰り返して与える訓練表示を前記表示部に表示させる第１４ステップと、
前記表示部に表示され、患者の操作によって前記訓練表示に対応して移動される指示表示の位置情報を取得する第７０ステップと、
前記指示表示の位置情報に基づいて機能回復結果を求める演算を行う第７１ステップと、
前記機能回復結果に論理的矛盾があるか否かを、前記論理的矛盾判定テーブルを参照して判定する第７２ステップと、
前記第７２ステップにおいて論理的矛盾があると判定したとき、前記機能回復項目の変更を受け付け、変更された該機能回復項目に応じた機能回復プログラムを前記機能回復部に生成させる第７３ステップとを実行する、
ことを特徴とする機能回復システム。
【請求項２】
前記検査部における前記第４ステップと、
前記機能回復部における前記第１４ステップとは、異なるステップである、
ことを特徴とする請求項１に記載の機能回復システム。
【請求項３】
前記機能回復システムは、前記入力部に入力されるデータの変更及び前記機能回復データテーブルのパラメータの変更を含む介入処理を行う介入処理部を有し、
前記制御部は、
前記介入処理部を制御し、前記機能回復データテーブルのパラメータの変更を、任意の前記ステップ間において受け付けて前記介入処理を行う第１５ステップを実行する、
ことを特徴とする請求項１または請求項２に記載の機能回復システム。
【請求項４】
前記機能回復システムは、前記入力部に入力されるデータの変更及び前記機能回復データテーブルのパラメータの変更を行う介入処理部を有し、
前記制御部は、
前記介入処理部を制御し、前記第１２ステップにより受け付けた選択項目が好適か否かの判断を促す介入処理を行う第１６ステップと、
前記第１６ステップにより介入が不要と判断されたとき、前記第１１ステップにより検索した複数パラメータが設定された機能回復項目に応じた機能回復プログラムを前記機能回復部に生成させる第１７ステップと、
前記第１６ステップにより介入が必要と判断されたとき、機能回復項目の変更を受け付け、変更された該機能回復項目に応じた機能回復プログラムを前記機能回復部に生成させる第１８ステップとを実行する、
ことを特徴とする請求項１または請求項２に記載の機能回復システム。
【請求項５】
前記制御部が、
前記介入処理が実行されたとき、パラメータの変更を前記患者カルテデータベース及び又は前記検査・機能回復データベースに記録する第２０ステップを実行する、
ことを特徴とする請求項３または請求項４に記載の機能回復システム。
【請求項６】
患者情報を記録した患者カルテデータベースと、
複像及び眼位の機能回復レベルに応じた複数のパラメータを設定した複数の機能回復項目を記録した機能回復データテーブルと、複像及び眼位の検査レベルに応じた複数のパラメータを設定した複数の検査項目を記録した検査データテーブルと、機能回復結果の論理的矛盾を判定する判定条件を記録した論理的矛盾判定テーブルと、を格納した検査・機能回復データベースと、
データを入力するための入力部と、
前記検査・機能回復データベースを参照してパラメータを設定した検査プログラムを生成する検査部と、
前記機能回復項目及び機能回復プログラムを実行中の画像を表示する表示部と、
前記検査・機能回復データベースを参照してパラメータを設定した機能回復プログラムを生成する機能回復部と、
前記患者カルテデータベースと前記検査・機能回復データベースを参照して前記表示部と前記機能回復部を制御する制御部と、を備える機能回復システムのプログラムであって、
前記複数の機能回復項目の少なくとも一部は、機能回復対象筋を同定した筋作用方向に基づいて眼球の回転角度の変更を生じさせることが可能なパラメータが設定されるものであり、
前記入力部から入力された患者情報をキーとして前記患者カルテデータベースから患者毎の検査項目を検索する第２１ステップと、
前記第２１ステップにより検索した前記検査項目を前記表示部に表示し、前記入力部を用いた検査項目の入力を受け付ける第２２ステップと、
前記第２２ステップにより受け付け、前記第２１ステップにより検索した複数のパラメータが設定された検査項目に応じた検査プログラムを前記検査部によって生成する第２３ステップと、
前記第２３ステップにより生成された前記検査プログラムに応じた検査表示を前記表示部に表示する第２４ステップと、
前記入力部から入力された患者情報をキーとして前記患者カルテデータベースから患者毎の機能回復項目を検索する第３１ステップと、
前記第３１ステップにより検索した前記機能回復項目を前記表示部に表示し、前記入力部を用いた機能回復項目の入力を受け付ける第３２ステップと、
前記第３２ステップにより受け付け、前記第３１ステップにより検索した複数のパラメータが設定された機能回復項目、および前記第２４ステップにおける検査の結果に基づく複数のパラメータが設定された機能回復項目に応じた機能回復プログラムを前記機能回復部によって生成する第３３ステップと、
前記第３３ステップにより生成した前記機能回復プログラムに応じて、眼球の動きに角度の変更を生じさせる適度な負荷を繰り返して与える訓練表示を前記表示部に表示する第３４ステップと、
前記表示部に表示され、患者の操作によって前記訓練表示に対応して移動される指示表示の位置情報を取得する第８０ステップと、
前記指示表示の位置情報に基づいて機能回復結果を求める演算を行う第８１ステップと、
前記機能回復結果に論理的矛盾があるか否かを、前記論理的矛盾判定テーブルを参照して判定する第８２ステップと、
前記第８２ステップにおいて論理的矛盾があると判定したとき、前記機能回復項目の変更を受け付け、変更された該機能回復項目に応じた機能回復プログラムを前記機能回復部に生成させる第８３ステップとを含む処理をコンピュータに実行させる、
ことを特徴とするプログラム。
【請求項７】
前記検査部における前記第２４ステップと、
前記機能回復部における前記第３４ステップとは、異なるステップである、
ことを特徴とする請求項６に記載のプログラム。
【請求項８】
前記機能回復システムは、前記入力部に入力されるデータの変更及び前記機能回復データテーブルのパラメータの変更を含む介入処理を行う介入処理部を有するものであり、
前記機能回復データテーブルのパラメータの変更を、任意の前記ステップ間において受け付けて前記介入処理を行う第３５ステップの処理をコンピュータに実行させる、
ことを特徴とする請求項６または請求項７に記載のプログラム。
【請求項９】
前記機能回復システムは、前記入力部に入力されるデータの変更及び前記機能回復データテーブルのパラメータの変更を行う介入処理部を有するものであり、
前記第３２ステップにより受け付けた選択項目が好適か否かの判断を促す介入処理を行う第３６ステップと、
前記第３６ステップにより介入が不要と判断されたとき、前記第３１ステップにより検索された複数パラメータが設定された機能回復項目に応じた機能回復プログラムを生成する第３７ステップと、
前記第３６ステップにより介入が必要と判断されたとき、機能回復項目の変更を受け付け、変更された該機能回復項目に応じた機能回復プログラムを生成する第３８ステップの処理をコンピュータに実行させる、
ことを特徴とする請求項６または請求項７に記載のプログラム。
【請求項１０】
前記介入処理が実行されたとき、パラメータの変更を前記患者カルテデータベース及び又は前記検査・機能回復データベースに記録する第４０ステップの処理をコンピュータに実行させる、
ことを特徴とする請求項８または請求項９に記載のプログラム。
【請求項１１】
患者情報を記録した患者カルテデータベースと、
複像及び眼位の機能回復レベルに応じた複数のパラメータを設定した複数の機能回復項目を記録した機能回復データテーブルと、複像及び眼位の検査レベルに応じた複数のパラメータを設定した複数の検査項目を記録した検査データテーブルと、機能回復結果の論理的矛盾を判定する判定条件を記録した論理的矛盾判定テーブルと、を格納した検査・機能回復データベースと、
データを入力するための入力部と、
前記検査・機能回復データベースを参照してパラメータを設定した検査プログラムを生成する検査部と、
前記機能回復項目及び機能回復プログラムを実行中の画像を表示する表示部と、
前記検査・機能回復データベースを参照してパラメータを設定し、機能回復プログラムを生成する機能回復部と、
前記患者カルテデータベースと前記検査・機能回復データベースを参照して前記表示部と前記機能回復部を制御する制御部と、を備える機能回復システムの作動方法であって、
前記複数の機能回復項目の少なくとも一部は、機能回復対象筋を同定した筋作用方向に基づいて眼球の回転角度の変更を生じさせることが可能なパラメータが設定されるものであり、
前記制御部に、
前記入力部から入力された患者情報をキーとして前記患者カルテデータベースから患者毎の検査項目を検索させる第４１ステップと、
前記第４１ステップにより検索させた検査項目を前記表示部に表示させ、前記入力部を用いて検査項目の入力を受け付けさせる第４２ステップと、
前記第４２ステップにより受け付けさせ、前記第４１ステップにより検索させた複数のパラメータが設定された検査項目に応じた検査プログラムを前記検査部に生成させる第４３ステップと、
前記第４３ステップにより生成された検査プログラムに応じた検査表示を前記表示部に表示させる第４４ステップと、
前記入力部から入力された患者情報をキーとして前記患者カルテデータベースから患者毎の機能回復項目を検索させる第５１ステップと、
前記第５１ステップにより検索させた前記機能回復項目を前記表示部に表示させ、前記入力部を用いて機能回復項目の入力を受け付けさせる第５２ステップと、
前記第５２ステップにより受け付けさせ、前記第５１ステップにより検索させた複数のパラメータが設定された機能回復項目、および前記第４４ステップにおける検査の結果に基づく複数のパラメータが設定された機能回復項目に応じた機能回復プログラムを前記機能回復部に生成させる第５３ステップと、
前記第５３ステップにより生成された前記機能回復プログラムに応じて、眼球の動きに角度の変更を生じさせる訓練用の表示を前記表示部に表示させる第５４ステップと、
前記表示部に表示され、患者の操作によって前記訓練用の表示に対応して移動される指示表示の位置情報を取得する第９０ステップと、
前記指示表示の位置情報に基づいて機能回復結果を求める演算を行う第９１ステップと、
前記機能回復結果に論理的矛盾があるか否かを、前記論理的矛盾判定テーブルを参照して判定する第９２ステップと、
前記第９２ステップにおいて論理的矛盾があると判定したとき、前記機能回復項目の変更を受け付け、変更された該機能回復項目に応じた機能回復プログラムを前記機能回復部に生成させる第９３ステップとを実行させる、
ことを特徴とする機能回復システムの作動方法。
【請求項１２】
前記検査部における前記第４４ステップと、
前記機能回復部における前記第５４ステップとは、異なるステップである、
ことを特徴とする請求項１１に記載の機能回復システムの作動方法。
【請求項１３】
前記機能回復システムは、前記入力部に入力されるデータの変更及び前記機能回復データテーブルのパラメータの変更を含む介入処理を行う介入処理部を有し、
前記制御部に、
前記介入処理部を制御させ、前記機能回復データテーブルのパラメータの変更を、任意の前記ステップ間において受け付けさせて前記介入処理を行わせる第５５ステップを実行させる、
ことを特徴とする請求項１１または請求項１２に記載の機能回復システムの作動方法。
【請求項１４】
前記機能回復システムは、前記入力部に入力されるデータの変更及び前記機能回復データテーブルのパラメータの変更を行う介入処理部を有し、
前記制御部に、
前記介入処理部を制御させ、前記第５２ステップにより受け付けた選択項目が好適か否かの判断を促す介入処理を行う第５６ステップと、
前記第５６ステップにより介入が不要と判断されたとき、前記第５１ステップにより検索した複数パラメータが設定された機能回復項目に応じた機能回復プログラムを前記機能回復部に生成させる第５７ステップと、
前記第５６ステップにより介入が必要と判断されたとき、機能回復項目の変更を受け付けさせ、変更された該機能回復項目に応じた機能回復プログラムを前記機能回復部に生成させる第５８ステップとを実行させる、
ことを特徴とする請求項１１または請求項１２に記載の機能回復システムの作動方法。
【請求項１５】
前記制御部に、
前記介入処理が実行されたとき、パラメータの変更を前記患者カルテデータベース及び又は前記検査・機能回復データベースに記録する第６０ステップを実行させる、
ことを特徴とする請求項１３または請求項１４に記載の機能回復システムの作動方法。
【請求項１６】
患者情報を記録した患者カルテデータベースと、
複像及び眼位の機能回復レベルに応じて機能回復対象筋を同定した筋作用方向に基づくパラメータを含む複数のパラメータを設定した複数の機能回復項目を記録した機能回復データテーブルと、複像及び眼位の検査レベルに応じた複数のパラメータを設定した複数の検査項目を記録した検査データテーブルと、機能回復結果の論理的矛盾を判定する判定条件を記録した論理的矛盾判定テーブルと、を格納したデータベースと、
表示部と、
を有するコンピュータに検査用の表示と訓練用の表示とを行わせる方法であって、
前記複数の機能回復項目の少なくとも一部は、機能回復対象筋を同定した筋作用方向に基づいて眼球の回転角度の変更を生じさせることが可能なパラメータが設定されるものであり、
入力された患者情報をキーとして前記患者カルテデータベースから患者毎の検査項目を検索する第１ステップと、
前記第１ステップにより検索した前記検査項目を表示し、検査項目の入力を受け付ける第２ステップと、
前記第２ステップにより受け付け、前記第１ステップにより検索した複数のパラメータが設定された検査項目に応じた検査プログラムを生成させる第３ステップと、
前記第３ステップにより生成された前記検査プログラムに応じた検査表示を行わせる第４ステップと、
入力された患者情報をキーとして前記患者カルテデータベースから患者毎の機能回復項目を検索する第１１ステップと、
前記第１１ステップにより検索した前記機能回復項目を表示し、機能回復項目の入力を受け付ける第１２ステップと、
前記第１２ステップにより受け付け、前記第１１ステップにより検索した複数のパラメータが設定された機能回復項目、および前記第４ステップにおける検査の結果に基づく複数のパラメータが設定された機能回復項目に応じた機能回復プログラムを生成させる第１３ステップと、
前記第１３ステップにより生成された前記機能回復プログラムに応じて、眼球の動きに角度の変更を生じさせる前記訓練用の表示を行わせる第１４ステップと、
患者の操作によって表示され、前記訓練用の表示に対応して移動される指示表示の位置情報を取得する第７０ステップと、
前記指示表示の位置情報に基づいて機能回復結果を求める演算を行う第７１ステップと、
前記機能回復結果に論理的矛盾があるか否かを、前記論理的矛盾判定テーブルを参照して判定する第７２ステップと、
前記第７２ステップにおいて論理的矛盾があると判定したとき、前記機能回復項目の変更を受け付け、変更された該機能回復項目に応じた機能回復プログラムを生成させる第７３ステップとを含む、
ことを特徴とする方法。
【発明の詳細な説明】
【技術分野】
【０００１】
本発明は、眼科で行われる眼科検査に好適な検査システム、眼科で行われる機能回復に好適な機能回復システム、及びこれらの方法、プログラムに関する。
【背景技術】
【０００２】
眼科で行われる眼科検査には、眼位検査と複像検査がある（例えば、非特許文献１参照）。
【０００３】
眼位検査は、左右の眼の位置が正常であるか否かを調べる為の検査である。眼位検査では、患者（被検者）の目前にペンライトなどの点光源をおいて、それを固視させることで、医師は斜視眼の角膜反射のずれを目測し、弧度で表し、検査を行う。
【０００４】
また、複像検査は、眼の外眼筋による眼球の運動が正常であるか否かを調べる為の検査である。複像検査では、患者の頭部を顎台に固定し、例えば、図１に示されるように、患者の前方の白色スクリーンに赤色の放射線状の升目を投影し、患者の各眼の前に赤のガラス１１と緑のガラス１２を置く。患者は、その赤のガラス１１と緑のガラス１２を通して、升目を見る。升目は１目盛り５度であり、正面中央と、正面中央から１５乃至３０度離れた縦横の升目の交叉点が丸（ターゲット）で示されている。患者は、右手で緑色の矢印を投影できる指示器を持ち、交叉点の丸に、順次、矢印の先（ポインタ）が一致するように指示器を動かす。医師は、升目を印刷してある印刷紙上に、患者が矢印で指示した位置を記入し、各測定点を線で結ぶことで、図１に示されるようなＨｅｓｓチャート１を生成する。赤と緑は、補色関係にあり、赤レンズ１１を通しては、赤の升目だけで緑の矢印が見えず、緑レンズ１２はその逆になる。赤レンズ１１の眼前に置いた側の眼で升目を見た場合、固視をすることになる。
【０００５】
図１のＨｅｓｓチャート１では、右眼で升目の白丸を固視した場合の、左眼が見ている場所を黒丸で示しており、５度ごとにある白丸にそれぞれ対応する黒丸が線で結ばれている。このＨｅｓｓチャート１では、右眼で右方１５度を見た場合の左眼の視線がチャートからはみ出しており、医師は、左眼が異常であると判断する。このように、医師は、Ｈｅｓｓチャート１に基づいて、検査の結果を出す。
【０００６】
これらの眼科検査においては、検査結果をまとめる場合、医師が手書きでまとめなければならず、非常に手間がかかり、これを解決するために、例えば特許文献１に記載するような、コンピュータを用いた検査装置がある。特許文献１に記載の発明は、眼の検査装置であって、検査データを生成する生成手段と、検査データに基づいて、被検者の操作によって移動するポインタで位置を指定するための目標となるターゲットとポインタを含む画像を表示する第１の表示手段と、被検者からのポインタの位置を指定する操作入力を受けつける操作入力受付手段と、ターゲットの位置とポインタの位置との関係を示す文字又は画像を表示する第２の表示手段を備える事を特徴としており、検査データを手書きでまとめる必要がなく、定量的な検査が行えるものとなっている。
【先行技術文献】
【非特許文献】
【０００７】
【非特許文献１】「眼科検査法ハンドブック 第２版（第１８８頁乃至１９２頁、並びに第２０７頁２０９頁）」、編集 丸尾敏夫、松井瑞夫、小口芳久、湖崎克、医学書院、１９９７年７月１日発行
【特許文献】
【０００８】
【特許文献１】特開２００５−２７８６６２号公報
【発明の概要】
【発明が解決しようとする課題】
【０００９】
しかしながら、特許文献１に記載する検査装置は、医師（検者）がその都度、患者に合わせてパラメータの設定を行って検査データを生成してから検査を行わなければならず、検査に時間がかかるとともに、医師が患者と同席して検査を行わなければならないという課題があった。また、上記装置は、眼の検査のみを可能としてあり、視神経や視機能を支配する脳神経系の機能回復（リハビリテーション）に用いることはできないという課題もあった。
【００１０】
本発明は、このような状況に鑑みてなされたものであり、予め設定された機能回復データに基づいてスムーズに機能回復を行い、また、あらかじめ設定したレベルの機能回復訓練動作を繰り返すことによって、患者の視覚を通して、視機能を司る視神経系に刺激を与え、患者の視機能と、視機能を司る脳神経の回復を促すことができる機能回復システム、機能回復システムのプログラムおよび機能回復システムの作動方法，及び方法を提供することを目的とする。
【課題を解決するための手段】
【００１１】
本発明は、患者情報を記録した患者カルテデータベースと、複像及び眼位の機能回復レベルに応じた複数のパラメータを設定した複数の機能回復項目を記録した機能回復データテーブルと、複像及び眼位の検査レベルに応じた複数のパラメータを設定した複数の検査項目を記録した検査データテーブルと、機能回復結果の論理的矛盾を判定する判定条件を記録した論理的矛盾判定テーブルと、を格納した検査・機能回復データベースと、データを入力するための入力部と、前記検査・機能回復データベースを参照してパラメータを設定した検査プログラムを生成する検査部と、前記機能回復項目及び機能回復プログラムを実行中の画像を表示する表示部と、前記検査・機能回復データベースを参照してパラメータを設定した機能回復プログラムを生成する機能回復部と、前記患者カルテデータベースと前記検査・機能回復データベースを参照して前記表示部と前記機能回復部を制御する制御部と、を備える機能回復システムであって、前記複数の機能回復項目の少なくとも一部は、機能回復対象筋を同定した筋作用方向に基づいて眼球の回転角度の変更を生じさせることが可能なパラメータが設定されるものであり、前記制御部が、前記入力部から入力された患者情報をキーとして前記患者カルテデータベースから患者毎の検査項目を検索する第１ステップと、前記第１ステップにより検索した前記検査項目を前記表示部に表示し、前記入力部を用いて検査項目の入力を受け付ける第２ステップと、前記第２ステップにより受け付け、前記第１ステップにより検索した複数のパラメータが設定された検査項目に応じた検査プログラムを前記検査部に生成させる第３ステップと、前記第３ステップにより生成された前記検査プログラムに応じた検査表示を前記表示部に表示させる第４ステップと、前記入力部から入力された患者情報をキーとして前記患者カルテデータベースから患者毎の機能回復項目を検索する第１１ステップと、前記第１１ステップにより検索した前記機能回復項目を前記表示部に表示し、前記入力部を用いて機能回復項目の入力を受け付ける第１２ステップと、前記第１２ステップにより受け付け、前記第１１ステップにより検索した複数のパラメータが設定された機能回復項目、および前記第４ステップにおける検査の結果に基づく複数のパラメータが設定された機能回復項目に応じた機能回復プログラムを前記機能回復部に生成させる第１３ステップと、前記第１３ステップにより生成された前記機能回復プログラムに応じて、眼球の動きに角度の変更を生じさせる適度な負荷を繰り返して与える訓練表示を前記表示部に表示させる第１４ステップと、前記表示部に表示され、患者の操作によって前記訓練表示に対応して移動される指示表示の位置情報を取得する第７０ステップと、前記指示表示の位置情報に基づいて機能回復結果を求める演算を行う第７１ステップと、前記機能回復結果に論理的矛盾があるか否かを、前記論理的矛盾判定テーブルを参照して判定する第７２ステップと、前記第７２ステップにおいて論理的矛盾があると判定したとき、前記機能回復項目の変更を受け付け、変更された該機能回復項目に応じた機能回復プログラムを前記機能回復部に生成させる第７３ステップとを実行する、ことを特徴とする機能回復システムである。
【００１２】
本発明はまた、患者情報を記録した患者カルテデータベースと、複像及び眼位の機能回復レベルに応じた複数のパラメータを設定した複数の機能回復項目を記録した機能回復データテーブルと、複像及び眼位の検査レベルに応じた複数のパラメータを設定した複数の検査項目を記録した検査データテーブルと、機能回復結果の論理的矛盾を判定する判定条件を記録した論理的矛盾判定テーブルと、を格納した検査・機能回復データベースと、データを入力するための入力部と、前記検査・機能回復データベースを参照してパラメータを設定した検査プログラムを生成する検査部と、前記機能回復項目及び機能回復プログラムを実行中の画像を表示する表示部と、前記検査・機能回復データベースを参照してパラメータを設定した機能回復プログラムを生成する機能回復部と、前記患者カルテデータベースと前記検査・機能回復データベースを参照して前記表示部と前記機能回復部を制御する制御部と、を備える機能回復システムのプログラムであって、前記複数の機能回復項目の少なくとも一部は、機能回復対象筋を同定した筋作用方向に基づいて眼球の回転角度の変更を生じさせることが可能なパラメータが設定されるものであり、前記入力部から入力された患者情報をキーとして前記患者カルテデータベースから患者毎の検査項目を検索する第２１ステップと、前記第２１ステップにより検索した前記検査項目を前記表示部に表示し、前記入力部を用いた検査項目の入力を受け付ける第２２ステップと、前記第２２ステップにより受け付け、前記第２１ステップにより検索した複数のパラメータが設定された検査項目に応じた検査プログラムを前記検査部によって生成する第２３ステップと、前記第２３ステップにより生成された前記検査プログラムに応じた検査表示を前記表示部に表示する第２４ステップと、前記入力部から入力された患者情報をキーとして前記患者カルテデータベースから患者毎の機能回復項目を検索する第３１ステップと、前記第３１ステップにより検索した前記機能回復項目を前記表示部に表示し、前記入力部を用いた機能回復項目の入力を受け付ける第３２ステップと、前記第３２ステップにより受け付け、前記第３１ステップにより検索した複数のパラメータが設定された機能回復項目、および前記第２４ステップにおける検査の結果に基づく複数のパラメータが設定された機能回復項目に応じた機能回復プログラムを前記機能回復部によって生成する第３３ステップと、前記第３３ステップにより生成した前記機能回復プログラムに応じて、眼球の動きに角度の変更を生じさせる適度な負荷を繰り返して与える訓練表示を前記表示部に表示する第３４ステップと、前記表示部に表示され、患者の操作によって前記訓練表示に対応して移動される指示表示の位置情報を取得する第８０ステップと、前記指示表示の位置情報に基づいて機能回復結果を求める演算を行う第８１ステップと、前記機能回復結果に論理的矛盾があるか否かを、前記論理的矛盾判定テーブルを参照して判定する第８２ステップと、前記第８２ステップにおいて論理的矛盾があると判定したとき、前記機能回復項目の変更を受け付け、変更された該機能回復項目に応じた機能回復プログラムを前記機能回復部に生成させる第８３ステップとを含む処理をコンピュータに実行させる、ことを特徴とするプログラムである。
【００１３】
本発明はまた、患者情報を記録した患者カルテデータベースと、複像及び眼位の機能回復レベルに応じた複数のパラメータを設定した複数の機能回復項目を記録した機能回復データテーブルと、複像及び眼位の検査レベルに応じた複数のパラメータを設定した複数の検査項目を記録した検査データテーブルと、機能回復結果の論理的矛盾を判定する判定条件を記録した論理的矛盾判定テーブルと、を格納した検査・機能回復データベースと、データを入力するための入力部と、前記検査・機能回復データベースを参照してパラメータを設定した検査プログラムを生成する検査部と、前記機能回復項目及び機能回復プログラムを実行中の画像を表示する表示部と、前記検査・機能回復データベースを参照してパラメータを設定し、機能回復プログラムを生成する機能回復部と、前記患者カルテデータベースと前記検査・機能回復データベースを参照して前記表示部と前記機能回復部を制御する制御部と、を備える機能回復システムの作動方法であって、前記複数の機能回復項目の少なくとも一部は、機能回復対象筋を同定した筋作用方向に基づいて眼球の回転角度の変更を生じさせることが可能なパラメータが設定されるものであり、前記制御部に、前記入力部から入力された患者情報をキーとして前記患者カルテデータベースから患者毎の検査項目を検索させる第４１ステップと、前記第４１ステップにより検索させた検査項目を前記表示部に表示させ、前記入力部を用いて検査項目の入力を受け付けさせる第４２ステップと、前記第４２ステップにより受け付けさせ、前記第４１ステップにより検索させた複数のパラメータが設定された検査項目に応じた検査プログラムを前記検査部に生成させる第４３ステップと、前記第４３ステップにより生成された検査プログラムに応じた検査表示を前記表示部に表示させる第４４ステップと、前記入力部から入力された患者情報をキーとして前記患者カルテデータベースから患者毎の機能回復項目を検索させる第５１ステップと、前記第５１ステップにより検索させた前記機能回復項目を前記表示部に表示させ、前記入力部を用いて機能回復項目の入力を受け付けさせる第５２ステップと、前記第５２ステップにより受け付けさせ、前記第５１ステップにより検索させた複数のパラメータが設定された機能回復項目、および前記第４４ステップにおける検査の結果に基づく複数のパラメータが設定された機能回復項目に応じた機能回復プログラムを前記機能回復部に生成させる第５３ステップと、前記第５３ステップにより生成された前記機能回復プログラムに応じて、眼球の動きに角度の変更を生じさせる訓練用の表示を前記表示部に表示させる第５４ステップと、前記表示部に表示され、患者の操作によって前記訓練用の表示に対応して移動される指示表示の位置情報を取得する第９０ステップと、前記指示表示の位置情報に基づいて機能回復結果を求める演算を行う第９１ステップと、前記機能回復結果に論理的矛盾があるか否かを、前記論理的矛盾判定テーブルを参照して判定する第９２ステップと、前記第９２ステップにおいて論理的矛盾があると判定したとき、前記機能回復項目の変更を受け付け、変更された該機能回復項目に応じた機能回復プログラムを前記機能回復部に生成させる第９３ステップとを実行させる、ことを特徴とする機能回復システムの作動方法である。
本発明はまた、患者情報を記録した患者カルテデータベースと、複像及び眼位の機能回復レベルに応じて機能回復対象筋を同定した筋作用方向に基づくパラメータを含む複数のパラメータを設定した複数の機能回復項目を記録した機能回復データテーブルと、複像及び眼位の検査レベルに応じた複数のパラメータを設定した複数の検査項目を記録した検査データテーブルと、機能回復結果の論理的矛盾を判定する判定条件を記録した論理的矛盾判定テーブルと、を格納したデータベースと、表示部と、を有するコンピュータに検査用の表示と訓練用の表示とを行わせる方法であって、前記複数の機能回復項目の少なくとも一部は、機能回復対象筋を同定した筋作用方向に基づいて眼球の回転角度の変更を生じさせることが可能なパラメータが設定されるものであり、入力された患者情報をキーとして前記患者カルテデータベースから患者毎の検査項目を検索する第１ステップと、前記第１ステップにより検索した前記検査項目を表示し、検査項目の入力を受け付ける第２ステップと、前記第２ステップにより受け付け、前記第１ステップにより検索した複数のパラメータが設定された検査項目に応じた検査プログラムを生成させる第３ステップと、前記第３ステップにより生成された前記検査プログラムに応じた検査表示を行わせる第４ステップと、入力された患者情報をキーとして前記患者カルテデータベースから患者毎の機能回復項目を検索する第１１ステップと、前記第１１ステップにより検索した前記機能回復項目を表示し、機能回復項目の入力を受け付ける第１２ステップと、前記第１２ステップにより受け付け、前記第１１ステップにより検索した複数のパラメータが設定された機能回復項目、および前記第４ステップにおける検査の結果に基づく複数のパラメータが設定された機能回復項目に応じた機能回復プログラムを生成させる第１３ステップと、前記第１３ステップにより生成された前記機能回復プログラムに応じて、眼球の動きに角度の変更を生じさせる前記訓練用の表示を行わせる第１４ステップと、患者の操作によって表示され、前記訓練用の表示に対応して移動される指示表示の位置情報を取得する第７０ステップと、前記指示表示の位置情報に基づいて機能回復結果を求める演算を行う第７１ステップと、前記機能回復結果に論理的矛盾があるか否かを、前記論理的矛盾判定テーブルを参照して判定する第７２ステップと、前記第７２ステップにおいて論理的矛盾があると判定したとき、前記機能回復項目の変更を受け付け、変更された該機能回復項目に応じた機能回復プログラムを生成させる第７３ステップとを含む、ことを特徴とする方法である。
【発明の効果】
【００４４】
本発明による機能回復システム、機能回復システムのプログラムおよび機能回復システムの作動方法及び方法によれば、予め設定された機能回復データに基づいてスムーズに機能回復を行い、また、あらかじめ設定したレベルの機能回復訓練動作を繰り返すことによって、患者の視覚を通して、視機能を司る視神経系に刺激を与え、患者の視機能と、視機能を司る脳神経の回復を促すことができる。
【図面の簡単な説明】
【００４５】
【図１】従来の複像検査を説明する図である。
【図２】本発明を適用した検査システムの構成を説明する図である。
【図３】医師用検査装置及び患者用検査装置における検査・機能回復処理を説明するフローチャートである。
【図４】図２の医師用検査装置の機能的構成例を示すブロック図である。
【図５】図２の患者用検査装置の機能的構成例を示すブロック図である。
【図６】医師用検査装置及び患者用検査装置における検査・機能回復処理を説明するフローチャートである。
【図７】初期画面の例を説明する図である。
【図８】複像検査の画面例を説明する図である。
【図９】複像検査の演算結果の例を説明する図である。
【図１０】複像検査の画面例を説明する図である。
【図１１】眼位検査の画面例を説明する図である。
【図１２】眼位検査の画面例を説明する図である。
【図１３】患者カルテデータベースを説明する図である。
【図１４】検査・機能回復データベースを説明する図である。
【図１５】機能回復処理を説明するフローチャートである。
【発明を実施するための最良の形態】
【００４６】
以下に本発明の実施の形態を説明するが、本明細書に記載の発明と、発明の実施の形態との対応関係を例示すると、次のようになる。この記載は、本明細書に記載されている発明をサポートする実施の形態が、本明細書に記載されていることを確認する為のものである。したがって、発明の実施の形態中には記載されているが、発明に対応するものとして、ここには記載されていない実施の形態があったとしても、そのことは、その実施の形態が、その発明に対応するものではないことを意味するものではない。逆に、実施の形態が発明に対応するものとしてここに記載されていたとしても、そのことは、その実施の形態が、その発明以外の発明には対応しないものであることを意味するものでもない。
【００４７】
更に、この記載は、本明細書に記載されている発明の全てを意味するものでもない。換言すれば、この記載は、本明細書に記載されている発明であって、この出願では請求されていない発明の存在、すなわち、将来、分割出願されたり、補正により出現、追加される発明の存在を否定するものではない。
【００４８】
以下、図を参照して、本発明の実施の形態について説明する。
[全体構成]
図２は、本発明を適用した検査システムの外観の構成を示す図である。この検査システム２０は、主に、医師（検者）が検査の為に操作する医師用検査装置３１と、患者（被検者）が検査の為に使用する患者用検査装置３２と、前記医師用検査装置３１と患者用検査装置３２に接続され、診療記録等の患者情報が記録された患者カルテデータベース３７並びに検査内容と機能回復内容が記録された検査・機能回復データベース３８とから構成される。
なお、本実施形態においては、医師用検査装置３１及び患者用検査装置３２の二台の装置を用いる構成としたが、これに限られず検査システムを一台の検査装置及びデータベースによって構成してもよい。
【００４９】
前記医師用検査装置３１と患者用検査装置３２は、ＬＡＮケーブル３３を介して接続されており、互いにデータを授受する。医師用検査装置３１及び患者用検査装置３２は、ＬＡＮケーブル３３を介してプリンタ３４と接続されており、プリンタ３４は、医師用検査装置３１または患者用検査装置３２からのデータに基づく画像や文書を紙に印刷する。なお、本実施形態においては、医師用検査装置３１、患者用検査装置３２、及びプリンタ３４間をＬＡＮケーブルによる接続としたが、無線で通信を行うようにしてもよい。
【００５０】
医師用検査装置３１及び患者用検査装置３２は、例えば、一般的なパーソナルコンピュータとされ、ＣＰＵ（Ｃｅｎｔｒａｌ Ｐｒｏｃｅｓｓｉｎｇ Ｕｎｉｔ）、ＲＯＭ（Ｒｅａｄ Ｏｎｌｙ Ｍｅｍｏｒｙ）、およびＲＡＭ（Ｒａｎｄｏｍ Ａｃｃｅｓｓ Ｍｅｍｏｒｙ）は、内部バスを介して相互に接続されており、この内部バスにはまた、入出力インターフェースも接続されている。
【００５１】
また、ＣＰＵは、ＲＯＭに記憶されているプログラム、または、記憶部からＲＡＭにロードされたプログラムに従って各種の処理を実行する。ＲＡＭにはまた、ＣＰＵが各種の処理を実行する上において必要なデータなどが適宜記憶される。
【００５２】
入出力インターフェースには、キーボード、マウス、マイク、タッチパネルなどよりなる入力部、ＣＲＴ，ＬＣＤ（Ｌｉｑｕｉｄ Ｃｒｙｓｔａｌ Ｄｉｓｐｌａｙ）、スピーカなどよりなる出力部、ハードディスクなどより構成される記憶部、モデム、ターミナルアダプタなどより構成される通信部が接続されている。通信部は、電話回線やＣＡＴＶを含む各種のネットワークを介しての通信処理を行う。
【００５３】
入出力インターフェースにはまた、必要に応じてドライブが接続され、磁気ディスク、光ディスク、光磁気ディスク、あるいは半導体メモリなどよりなるリムーバブルメディアが適宜装着され、それから読み出されたコンピュータプログラムが、必要に応じて記憶部にインストールされる。
【００５４】
[医師用検査装置の構成]
図４は、図２に示した医師用検査装置３１の機能的構成例を示すブロック図である。
医師用検査装置３１は、入力部１５１、主制御部１５２、複像検査部１５３、眼位検査部１５４、機能回復部６００、介入処理部５００、表示部１５６、データ送受信部１５９、表示部１５６、入力部１５１、印刷データ送信部１６１とを備える。
【００５５】
前記入力部１５１は、医師からの操作入力を受け付ける。主制御部１５２は、複像検査部１５３、眼位検査部１５４、機能回復部６００、介入処理部５００、データ送受信部１５９、および印刷データ送信部１６１の各部を制御する。
【００５６】
前記複像検査部１５３は、眼の外眼筋による眼球の運動が正常であるか否かを調べる複像検査を行う為の処理部である。複像検査部１５３には、パラメータ設定部１７１および複像検査実行部１７２が設けられており、複像検査部１５３内部では、それぞれデータの授受が可能である。パラメータ設定部１７１は、複像検査の為の各種のパラメータを設定し、複像検査実行部１７２は、パラメータ設定部１７１により設定されるパラメータを用いて複像検査を行うための複像検査プログラムを生成する。
【００５７】
前記眼位検査部１５４は、左右の眼の位置が正常であるか否かを調べる眼位検査を行う。この眼位検査部１５４には、パラメータ設定部１８１および眼位検査実行部１８２が設けられており、眼位検査部１５４内部では、それぞれデータの授受が可能である。パラメータ設定部１８１は、眼位検査の為の各種のパラメータを設定し、眼位検査実行部１８２は、パラメータ設定部１８１により設定されるパラメータを用いて眼位検査を行うための眼位検査プログラムを生成する。
【００５８】
前記機能回復部６００は、視神経や視機能を支配する脳神経系の機能回復を行う。機能回復部６００には、パラメータ設定部６０１および機能回復実行部６０２が設けられており、機能回復部６００内部では、それぞれデータの授受が可能である。パラメータ設定部６０１は、機能回復の為の各種のパラメータを設定し、機能回復実行部６０２は、パラメータ設定部６０１により設定されるパラメータを用いて機能回復を支援する為の機能回復プログラムを生成する。この機能回復プログラムには、複像回復訓練処理と、眼位回復訓練処理を行うプログラムがあるが、これに限られるものではない。
【００５９】
前記介入処理部５００は、患者が設定した検査項目、機能回復項目、これら項目のパラメータが最適でない場合に医師が介入して前記項目及びパラメータの変更を含む介入処理を行う。即ち、この介入処理は、後述する患者の選択した検査項目や機能回復項目が医師により不適切と判断された場合や、検査内容に基づいて演算された検査結果や機能回復結果に論理的矛盾があると判定された場合に、それぞれ適切で合理的な結果を導くよう、医師が検査項目や機能回復項目を選択し、新たに検査・機能回復プログラムを生成するよう介入を行う。
【００６０】
前記表示部１５６は所定の画像データに基づく画像を表示する。データ送受信部１５９は、主制御部１５２からの制御に基づいて、検査や機能回復、介入を行う為の各プログラムやデータ、診断結果のデータを送信し、患者用検査装置３２からの各入力データや検査・機能回復についての演算結果データを受信する。
【００６１】
前記印刷データ送信部１６１は、主制御部１５２からの制御に基づいて印刷データをプリンタ３４に対して送信する。プリンタ３４は、印刷データに基づいて紙に画像や文書を印刷する。
【００６２】
[患者用検査装置の構成]  
図５は、図２示した患者用検査装置３２の機能的構成例を示すブロック図である。
患者用検査装置３２は、入力部２０１、主制御部２０２、表示部２０４、記憶部２０５、データ受信部２０６、および印刷データ送信部２０７を備える。
【００６３】
入力部２０１は、患者からの操作入力を受け付ける。この入力部２０１は、例えば、図２のマウス５１である。主制御部２０２は、入力部２０１、記憶部２０５、データ送受信部２０６の各部を制御する。
【００６４】
表示部２０４は、主制御部２０２からの制御に基づいて、所定の画像（例えば、ターゲットとポインタなどのプログラムの実行中の画像）を表示する。記憶部２０５は、医師用検査装置３１により生成された検査プログラムや機能回復プログラム、検査や機能回復の演算結果を記憶する。データ送受信部２０６は、主制御部２０２からの制御に基づいて、医師用検査装置３１から送信された各プログラムやデータ、診断結果のデータを受信し、各入力データや検査・機能回復についての演算結果を送信する。
【００６５】
なお、ここでは、患者側の表示部２０４として、例えば、液晶ディスプレイを用いることができ、また、入力部２０１がマウス５１であるようにしたが、これに限らず、マイクやタッチパネルなどであってもよい。なお、表示部２０４のスクリーンサイズは４５インチ以上であって、５０インチが最も適しており、検査や機能回復を行う際には、患者の頭を固定するための顎台、額当てを表示部２０４から６０ｃｍ以内に設置し、検査距離を５０ｃｍに設定する。
【００６６】
[データベースの説明]
前記患者カルテデータベース３７には、図１３に示す如く、患者カルテ情報が記録された患者カルテテーブル６１１が格納され、患者カルテテーブル６１１は、例えば、患者ＩＤ及び患者名をキーとして、対象眼に応じた検査項目、検査結果、機能回復項目、機能回復結果が検索可能となっている。
【００６７】
前記検査・機能回復データベース３８には、図１４に示す如く、検査データが記録された検査データテーブル６１２、機能回復データが記録された機能回復データテーブル６１３、論理的矛盾判定データが記録された論理的矛盾判定テーブル６１４が格納される。検査データテーブル６１２は、ＩＤをキーとして、検査項目名、対象眼、ターゲットサイズ、表示パターン、輝度が検索可能となっている。機能回復データテーブル６１３は、ＩＤをキーとして、機能回復項目名、対象眼、ターゲットサイズ、表示パターン、輝度が検索可能となっている。なお、ここでのターゲットサイズは、ＴＧ０１＞ＴＧ０２＞・・・であり、表示パターンとは、例えばターゲットの表示位置やターゲットの表示順番のパターンであって、機能回復を目的とする筋肉（機能回復対象筋）およびその筋肉の作用方向（筋作用方向）に基づいて予め設定されており、輝度は高中低となっている。
【００６８】
本実施例による機能回復データテーブル６１３に格納した機能回復項目名、対象眼、ターゲットサイズ、表示パターン、輝度の各パラメータは、想定される症状に応じた複数の機能回復訓練を行うために予め設定されたものであるが、本発明はこれに限られるものではなく、例えば、医師が患者毎に機能不全の筋肉を訓練するようにパラメータを設定しておくことや、例えば、検査項目ＩＤＡ０２の検査が適切とされる患者の場合、この患者が一段階容易に対応できるレベルであるＥ０１レベルのパラメータを設定した検査と同様な機能回復プログラムを選択するように設定しておくことによって、患者の外眼筋に適度な負荷を繰り返して与えるようにしてもよい。
【００６９】
なお、検査データテーブル６１２および機能回復データテーブル６１３に記録するデータは、上述したものに限られず、図示しないが、ターゲットの色やポインタの色および大きさ等、検査や機能回復プログラムの生成に必要なパラメータであれば良く、医師が患者の症状に応じて個別に設定しても良い。
【００７０】
前記論理的矛盾判定テーブル６１４は、検査結果が論理的に矛盾するか否かを判定するための判定条件を格納するものであって、例えば、複像が見えている場合、通常見え方は同一方向にずれるものであるが、ターゲットの位置が左端方向にずれているものと、右端方向にずれているものとが混在することは無い為、このような結果が論理的に矛盾するか否かを判定するためのものである。このため図示した例の論理的矛盾判定テーブル６１４は、Ｈｅｓｓチャートの四角端をターゲットとした場合、右端と左端のズレ方向が異なる場合は論理的に矛盾すると判定し、同様に上下両端、斜め方向の左上端と右下端、上下方向の上端と下端のズレ方向が異なる場合は論理的に矛盾すると判定するための条件である。
【００７１】
[動作]
次に、図３のフローチャートを参照して本実施形態による検査システム、機能回復システム、及びこれらの方法、プログラムの動作を説明する。
本フローチャートは、次のステップにより実行され、図中の左側が患者用検査装置３２の動作を表し、右側が医師用検査装置３１の動作を表す。
ステップＳ６０１：患者用検査装置３２が、患者の操作により患者ＩＤ及び患者氏名の入力を受け付けるステップ。
このステップＳ６０１において入力された情報は患者用検査装置３２が医師用検査装置３１に送信する。
ステップＳ６０２：医師用検査装置３１が患者用検査装置３２から受信した患者ＩＤ及び患者氏名をキーとして患者カルテデータベース３７から患者毎の検査・機能回復項目を検索するステップ。
このステップＳ６０２は、医師用検査装置３１が、患者ＩＤと患者氏名をキーとして、医師用検査装置３１に格納される患者カルテデータベース３７から検査項目や機能回復項目を検索する。この検索により、例えば図１３に示す患者カルテデータベース３７の患者ＩＤ００１と患者名山田一郎をキーとして、検査項目として、右眼及び左眼に対して、複像検査、両眼に対して眼位検査、機能回復項目として、右眼及び左眼に対する複像回復訓練、両眼に対する眼位回復訓練を検索する。そして、検索された検査項目及び機能回復項目は患者用検査装置３２に送信され、図７に示すプログラム選択画面が表示部２０４に表示される。
【００７２】
ステップＳ６０３：患者用検査装置３２が、患者の操作による検査項目または機能回復項目の選択を受け付けるステップ。
このステップＳ６０３は、図７に示す複像検査３０１、眼位検査３０２、複像回復訓練３１０、または眼位回復訓練３１１の何れかが選択され、患者用検査装置３２がその選択結果を医師用検査装置３１に送信する。
ステップＳ６０４：医師用検査装置３１がステップＳ６０３での選択結果に介入が必要か否かの医師の判断を促し、判断結果の入力を受け付けるステップ。
このステップＳ６０４は、医師用検査装置３１がステップＳ６０３の選択がその患者にとって適切かどうかが医師により判断された結果を入力部１５１を介して受け付ける。
ステップＳ６０５：医師用検査装置３１がステップＳ６０４において医師の介入を受け付けた場合に介入処理を行うステップ。
このステップＳ６０５は、医師用検査装置３１が適切な検査項目または機能回復項目に修正する介入を行う。
ステップＳ６０６：医師用検査装置３１の複像検査部１５３、眼位検査部１５４または機能回復部６００が検査または機能回復プログラムを生成するステップ。
このステップＳ６０６は、医師用検査装置３２の複像検査部１５３、眼位検査部１５４または機能回復部６００が、患者カルテデータベース３１および検査・機能回復データベース３８を参照して検査プログラムまたは機能回復プログラムを生成する。各プログラムは、ターゲット（後述する四角い枠）およびポインタ（カーソル（後述する丸い枠））を提示するためのプログラムであり、前記検査プログラムは、検査・機能回復データベース３８に格納された検査データテーブル６１２の該当するＩＤに対応したターゲットのサイズ、表示パターン、輝度の各パラメータを参照して、当該患者の検査を実行するためのプログラムであり、機能回復プログラムも同様に、検査・機能回復データベース３８の機能回復データテーブル６１３の該当するＩＤに対応したパラメータを参照して機能回復を実行するためのプログラムである。
【００７３】
ステップＳ６０７：医師用検査装置３１が検査または機能回復プログラムを記憶部（図示せず）に格納するステップ。
ステップＳ６０８：患者用検査装置３２が医師用検査装置３１から送信された検査または機能回復プログラムを記憶部２０５に格納するステップ。
ステップＳ６０９：患者用検査装置３２が検査または機能回復プログラムを実行するステップ。
ステップＳ６１０：患者用検査装置３２が検査または機能回復の結果を演算するステップ。
このステップＳ６１０の演算とは、検査または機能回復において、患者から入力された情報をディスプレイに表示するための演算である。
ステップＳ６１１：医師用検査装置３１が演算結果に論理的矛盾があるか判定するステップ。
このステップＳ６１は、医師用検査装置３１が演算された結果に論理的矛盾があるか否かについて、検査・機能回復データベース３８の論理的矛盾判定テーブル６１４を参照して判定する。
ステップＳ６１２：ステップＳ６１１で医師用検査装置３１が演算結果に論理的矛盾があると判定した場合、医師による介入の受け付けをして介入処理を行い、ステップＳ６０６に戻るステップ。
このステップＳ６１２は、医師用検査装置３１が演算結果に論理的矛盾があると判定した場合に、医師が介入が必要か判断し、その判断結果に応じてパラメータの変更・修正等の入力を受け付け、介入するものである。また、介入を行ってパラメータの変更・修正をしたときには、そのパラメータの変更を患者カルテデータベース３７及び又は検査・機能回復データベース３８に記録する。
ステップＳ６１３：ステップＳ６１１で医師用検査装置３１が演算結果に論理的矛盾がないと判断した場合、その結果に対する医師（検者）の診断結果の入力を受け付けるステップ。
ステップＳ６１４：診断結果を医師用検査装置３１の記憶部及び患者カルテデータベース３７に格納するステップ。
ステップＳ６１５：患者用検査装置３２が医師用検査装置３１から送信された診断結果を記憶部２０５に格納するステップ。
ステップＳ６１６：患者用検査装置３２が表示部２０４に診断結果を表示し、印刷データ送信部２０７を介してプリンタ３４に送信、印刷するステップ。
ステップＳ６１７：医師用検査装置３１が表示部１５６に診断結果を表示し、印刷データ送信部１６１を介してプリンタ３４に送信、印刷するステップ。
なお、ステップＳ６１１の論理的矛盾の判定は、論理的矛盾判定データテーブル６１４を患者用検査装置３２にダウンロードしておくことにより、患者用検査装置３２によって行う事も可能であり、また、医師が個別に判断し、介入処理を行うようにしても良い。
また、ステップ１３の診断結果の入力は必須ではなく、論理的矛盾があるか否かの判定後、検査または機能回復結果を各検査装置の記憶部に格納し、表示や印刷をするようにしても良い。
【００７４】
また、本実施形態において、患者用検査装置３２は、医師用検査装置３１から供給された検査または機能回復プログラムに基づいて、ターゲット（後述する四角い枠）およびポインタ（カーソル）の表示と検査または機能回復訓練を実行し、その演算結果を医師用検査装置３１に送信することとしたが、これに限られず、検査または機能回復訓練を実行しているときに、入力部２０１に入力された患者からの操作入力に基づいてポインタの位置をリアルタイムに操作入力データとして送信するようにしてもよく、この際、医師が適宜介入を行うようにしてもよい。
【００７５】
なお、本実施形態においては、検査データテーブル６１２及び機能回復データテーブル６１３は、あらかじめ複数のパターンを作成しておいて、患者に適したパターンを選択し、選択したＩＤを患者カルテテーブル６１１に記録するようにしたが、これに限られず、例えば、あらかじめ医師（検者）が患者に適するように検査データや機能回復データを作成しておき、検査データテーブル６１２及び機能回復データテーブル６１３に記録し、そこに付したＩＤを患者カルテテーブル６１１に記録するようにしても良い。
【００７６】
[検査・機能回復処理]
次に、図６のフローチャートを参照して、本実施形態による検査システムによる検査処理並びに機能回復処理の全体動作を説明する。なお、この処理は、患者により患者ＩＤと患者氏名が入力部２０１に入力されたとき開始され、医師用検査装置３１から送信された検査項目や機能回復項目を図７に示すプログラム選択画面を表示して開始される。
【００７７】
図７は、プログラム選択画面の例である。患者用検査装置３２は、表示部２０４に、「実行するタスクを選択してください」という説明文とともに、複像検査と表示されたボタン３０１、眼位検査と表示されたボタン３０２、機能回復訓練の表示の下に複像回復訓練と表示されたボタン３１０、眼位回復訓練と表示されたボタン３１１、および終了と表示されたボタン３０４を表示する。なお、ボタン３１０および３１１は、機能回復訓練において複像回復訓練と眼位回復訓練を行うことが可能であることを示している。患者は、入力部２０１に所定の操作を入力することで、各ボタン３０１、３０２、３０４、３１０、３１１を選択する。患者用検査装置３２は、ボタン３０１が選択された場合、後述する複像検査を行い、ボタン３０２が選択された場合、患者用検査装置３２は、後述する眼位検査を行い、ボタン３１０または３１１が選択された場合、後述する機能回復訓練を行い、ボタン３０４が選択された場合、処理を終了する。
【００７８】
図６に戻って、主制御部２０２が実行する検査・機能回復処理を行う動作の各ステップを説明する。
ステップＳ１２：図７に示したプログラム選択画面から複像検査のボタン３０１が選択されたか否かを判定するステップ。
ステップＳ１３：複像検査のボタン３０１が選択されたと判定した場合、複像検査プログラムを生成して複像検査処理を実行するステップ。
この複像検査処理の詳細は後述する。
ステップＳ１４：ステップＳ１２において複像検査のボタン３０１が選択されていないと判定したとき、プログラム選択画面から眼位検査のボタン３０２が選択されたか否かを判定するステップ。
ステップＳ１５：ステップＳ１４において眼位検査のボタン３０２が選択されたと判定した場合、眼位検査プログラムを生成して眼位検査処理を実行するステップ。
この眼位検査処理の詳細は、後述する。
ステップＳ１６：Ｓステップ１４において眼位検査のボタン３０２が選択されていないと判定したとき、プログラム選択画面から複像回復訓練のボタン３１０が選択されたか否かを判定するステップ。
ステップＳ１７：ステップＳ１６において複像回復訓練のボタン３１０が選択されたと判定したとき、複像回復訓練プログラムを生成して複像回復訓練処理を実行するステップ。
この複像回復訓練の詳細は後述する。
ステップＳ１８：ステップＳ１６において複像回復訓練３１０のボタンが選択されていないと判定したとき、プログラム選択画面から眼位回復訓練のボタン３０２が選択されたか否かを判定するステップ。
ステップＳ１９：ステップＳ１８において眼位回復訓練のボタン３１１が選択されたと判定した場合、眼位回復訓練プログラムを生成して眼位回復訓練処理を実行するステップ。
この眼位回復訓練の詳細は後述する。
【００７９】
ステップＳ２０：ステップＳ１８において眼位回復訓練のボタン３１１が選択されていないと判定したとき処理を終了するか否かを判定し、終了すると判定したときに処理を終了し、終了しないと判定したときに前記ステップＳ１２に戻るステップ。
このステップは、主制御部２０２が、図７のプログラム選択画面において、終了のボタン３０４が患者により（入力部２０１を介して）選択されたか否かを判定する。ステップＳ２０において処理を終了しないと判定した場合、ステップＳ１２に戻り、それ以降の処理を繰り返す。すなわち、図７のプログラム選択画面を表示し、再度、選択されたボタンに対する処理を行う。
【００８０】
[複像検査]
次に、図６のステップＳ１３の複像検査処理について説明する。複像検査は、患者の頭の位置を固定し、患者の左眼の前に赤色のガラス（レンズ）または緑色のガラスのうちの一方の色のガラスが割り当てられ、右眼の前に他方が割り当てられたメガネ（レンズの色は左右どちらでもよいが、例えば、左眼に緑色のガラスが割り当てられ、右眼に赤色のガラスが割り当てられたメガネ）またはキャップ型のメガネを装着し、患者の前方の（患者用検査装置３２の）表示部２０４の所定の位置（例えば、９カ所）に赤色の四角い枠（以下、ターゲットとも称する）を順次表示し、患者にその赤色の四角枠が見える位置を、緑色の丸枠のポインタで（マウス５１を操作して）重ねるように選択させることにより行う。
【００８１】
患者用検査装置３２の表示部２０４は、医師用検査装置３２から受信した複像検査プログラムおよび画像データに基づいて、図１０に示されるような１番目の検査画像検査画面を表示する。
複像検査の場合、例えば、９カ所の位置を順次赤色の四角枠（ターゲット）で示し、患者が緑色の丸枠（ポインタ）で四角枠に重なった点でクリックすることで検査を行う。またこのとき、患者は、左眼で緑色のレンズを介して表示部２０４を見ており、右眼で赤色のレンズを介して表示部２０４を見ている。そして、患者は、表示部２０４に表示された１番目の表示である赤色のターゲット６６１（四角枠）に、入力部２０１の移動に伴い移動するポインタ（丸枠）６５１が重なって見えた点でクリック（ポインタの位置を指定）する。患者の見え方として、ポインタ（丸枠）がターゲット（四角枠）に重なった場合には、ポインタの図形（この場合、丸の形の図形）がターゲット（四角枠）を囲むことになる。これにより、ターゲットに対するポインタ（丸枠）の位置を精密に決定することができる。
【００８２】
そして、患者用検査装置３２は、患者が順次表示されるターゲットに対するポインタを全てクリックし、検査が終了したと判定した場合、処理を終了し、検査結果を演算し、医師用検査装置３１に演算結果を送信する。
なお、この演算結果は、患者用検査装置３２および医師用検査装置３１の各記憶部、患者カルテデータベース３７に格納される。
【００８３】
その後、医師用検査装置３１の複像検査部１５３が、演算された結果に論理的矛盾があるか否かについて、検査・機能回復データベース３８の論理的矛盾判定テーブルを参照して判断を行い、矛盾があれば医師による介入を受け付けて介入処理を行い新たに検査プログラムを生成、実行する。検査結果に論理的矛盾がない場合には、図９に示すような演算結果を表示部１５６に表示する。
その結果について医師（検者）が診断した診断結果の入力を医師用検査装置３１が受け付けると、医師用検査装置３１は、医師用検査装置３１の記憶部、患者カルテデータベース３７に格納し、患者用検査装置３２に送信して患者用検査装置３１が記憶部２０５に格納する。このとき、患者ＩＤ、患者氏名などが検索のパラメータとして参照できるように、ファイルに付加されて保存される。このファイルには、患者ＩＤ、患者氏名、および検査日時の他、右眼／左眼のデータ、検査・機能回復データベースと対応する検査条件（全てのパラメータ）、検査結果のデータが含まれる。
【００８４】
なお、図９のそれぞれの枠５５１にはＲ（右）、Ｌ（左）、Ｕ（上）、Ｄ（下）を表す軸と、角度を示す数値が表示されており、左右各９カ所の検査データに対応するカ所のターゲットの位置を結ぶ連結線、およびそれぞれのターゲットに対して指定されたポインタの位置を結ぶ連結線が表示され、ポインタの位置を結ぶ連結線の内側を網掛けで表示している。このように、ターゲットの位置を結ぶ連結線と、患者からの操作入力によって指定されたポインタの位置を結ぶ連結線との関係を示す画像を表示させることで、医師は、容易に検査の結果を見ることができる。また、検査結果を容易に判定することができる。
【００８５】
その後、印刷が選択された場合、検査結果のデータに基づく印刷するデータである印刷データ（例えば、印刷結果の画像データ、または印刷結果のテキストデータ）を印刷する。具体的には、印刷データを印刷データ送信部１６１または２０７（およびＬＡＮケーブル３５）を介してプリンタ３４に送信する。プリンタ３４は、印刷データに基づく画像（または文書）を紙に印刷し、出力する。
【００８６】
なお、本実施形態においては、患者用検査装置３２により検査が終了し演算がされた後に医師用検査装置３１に送信されるとしたが、これに限られず、患者がターゲットにポインタを合わせてポインタをクリックする毎に医師用検査装置３１に送信する構成としてもよく、その場合は、例えば、医師用検査装置３１の表示装置１５６には、図８に示すような画面が表示される。
【００８７】
図８の表示部１５６の中央には、検査結果を示す為の枠３５０が表示されており、この場合、枠３５０の中にはＲ（右）、Ｌ（左）、Ｕ（上）、Ｄ（下）を表す軸と、角度を示す数値が表示されている。枠３５０の中で、バツ印表示された点４０１乃至４０５は、患者により指定されたポインタの位置、すなわち、クリックされた時点における丸枠のポインタ３８０の中心を示す点を表しており、四角枠４１６乃至４１９は、まだ患者によって選択されていないカ所、すなわち、これから患者用検査装置３２に表示される箇所に対応する点を示している。図８の場合、４０１乃至４０５の５カ所が既に患者により選択されているので、ターゲットの表示およびポインタの入力が５回繰り返されたことを示している。
【００８８】
なお、本実施形態においては、チャートの座標を角度スケールで表示している（縦軸と横軸の単位が角度になっている）。従来のＨｅｓｓチャートでは、チャートの座標を長さスケールとし、角度を示すグリットを非等間隔の曲線としていたが、本実施の形態では、長さスケールを角度スケールに変換し、チャートのグリットを等間隔の直線にしている。このことは、本来、眼球の動きは回転運動であり、長さではなく、角度で記述されるものであることによる。なお、スケール変換をせず、従来のＨＥＳＳチャートと同じように長さスケールで表示を行うようにしてもよい。
【００８９】
また、本実施の形態では、検査可能な視野範囲を、例えば、上下左右ともに−３５度乃至＋３５度としている。これは、被医師用検査装置３２の表示部（表示部２０４）の大きさや表示部から患者までの距離によって変化される値であるので、適宜変更するようにしてもよい。
【００９０】
なお、複像検査プログラムは、複像検査を行うために、被医師用検査装置３２の表示部２０４にターゲット（四角い枠）と、ポインタを表示させる為のプログラムであって、検査データテーブル６１２を参照して生成されるものであり、検査データテーブル６１２に記録される検査データは、あらかじめ複像検査の為のデータとして生成され、記録されているものとしたが、患者に特有の情報に基づいて、新たに生成し記録するデータであってもよい。
【００９１】
上記処理により、患者の操作したポインタの位置を、医師が見て手書きでプロットするのではなく、直接データとして読み込むことにより複像検査を行うことができる。
【００９２】
また、例えば、患者が、左眼に緑色のレンズを付けており、右眼に赤色のレンズを付けている場合、検査する眼によってレンズの色を変更しなくても、表示部２０４に表示させるターゲット（四角い枠）と、ポインタ（丸い枠）の色を逆にするだけでよいので、検査の手間をより省くことができ、検査を迅速、かつ定量的に行うことができる。
【００９３】
さらに、患者ＩＤおよび患者氏名を入力するだけで、プログラムを生成することができる為、より手間をかけずに検査を行うことができる。また、検査結果のデータを容易に印刷したり、ファイルとして保存することができる。さらに、パラメータや表示オプションを操作するだけで、検査の設定を変更することができる。換言すると、検査を迅速、かつ、定量的に行うことができる。また、適宜介入処理を行うことにより、より適切な結果を導くことができる。
【００９４】
なお、検査ターゲットを９カ所のデータとしたが、実際には、検査の場合により２５カ所の位置に対して検査を行うこともできる。これらは、パラメータの設定などにより適宜変更することができる。
【００９５】
また検者（医師）は、適切な検査結果を導けるよう、適宜、ターゲットの呈示方法を、手動、自動の中から変更したり、背景（例えば、図１０の表示部２０４の背景）として、明、中、または暗を変更したり、ターゲット（例えば、図１０の四角い枠６６１）の輝度として、高、中、または低を変更したり、カーソル（例えば、図１０のポインタ６５１）の輝度として、高、中、または低を変更したり、ディスプレイの表示方法として、有効表示面積、最大表示解像度、眼−画面間距離を変更したり、ターゲットカーソルサイズ（例えば、図１０の四角い枠６６１のサイズ）として、大、中、または小を変更する介入処理を行うことができる。
【００９６】
これらの介入処理により、医師は、条件を自由に変更し、即時にこれらの条件を反映させ、検査を続行して行うことができる。これらの条件は、検査・機能回復データベースにパラメータとして記録される。また、パラメータ設定部１７１は、これらのパラメータを、次回の検査時のパラメータとして保存しておく。
【００９７】
[眼位検査]
次に、図６のステップＳ１５の眼位検査処理について説明する。眼位検査は、左右の眼の位置が正常であるか否かを調べる為の検査であり、患者用検査装置３２の表示部２０４の所定の位置（例えば、表示部２０４の中心）に赤色の四角枠（ターゲット）を表示して、患者にその枠を緑色の丸枠のポインタで（マウス５１を用いて）重なるように操作させることで行う。
【００９８】
医師用検査装置３１は、眼位検査プログラムを患者用検査装置３２に送信し、患者用検査装置３２は眼位検査プログラムに基づく画像を表示する。すなわち、患者用検査装置３２の表示部２０４は、背景を灰色とし、中心に赤色の四角枠をターゲットとして表示する。
【００９９】
そして、患者用検査装置３２は表示部２０４にポインタの画像を表示する。例えば、表示部２０４は、背景を灰色とし、中心に赤色の四角枠をターゲットとして既に表示しているので、これに、ポインタをさらに表示する。患者は、四角枠（ターゲット）に丸枠（ポインタ（カーソル））が重なるように入力部２０１を操作し、重なった位置で操作入力２０１によりポインタをクリックする。
その後、患者用検査装置３２は、検査（ターゲットに対するポインタの操作入力）回数が設定回数（例えば、左眼と右眼の検査回数がそれぞれ４回）に達したか否かを判定する。この設定回数は医師により設定されてもよいし、あらかじめ設定されていてもよい。検査回数がまだ設定回数に達していないと判定した場合、処理を繰り返す。
【０１００】
そして、患者用検査装置３２が、検査が設定回数行われ終了したと判定した場合、処理を終了し、検査結果を演算し、図１２に示されるような演算結果を医師用検査装置３１に送信する。このとき、患者用検査装置３２および医師用検査装置３１はそれぞれ記憶部に演算結果を格納する。
なお、図１２の枠８５０の中は、患者によりクリックされた位置、すなわち検査結果を示す×印を表示しており、例えば、右眼の検査結果を赤色で表示し、左眼の検査結果を緑色で表示する。この検査結果は、左から検査の回数、眼−画面間距離、検査を受ける眼の側を示すＬ（左）またはＲ（右）、および水平方向（横軸位置）、垂直方向（縦軸位置）をそれぞれ示している。水平方向の位置、垂直方向の位置は眼のずれを示す値であり、この値の絶対値が大きいほど、眼のずれが大きいことを示し、符号は「ズレ」の方向を示す。図１２の例の場合、検査結果８８０の１番目の行は、１回目の検査であり、眼−画面間距離が２５ｃｍであり、水平方向の位置が０．０であり、垂直方向の位置が０．６（すなわち、上側に０．６度）であることを示している。このように、検査プログラムに基づく画像に対する患者からの操作入力の関係を示す画像および文字を表示部１５６に表示させることで、眼の検査を定量的に行うことができる。また、眼−画面間距離のパラメータに基づいて、表示部２０４に表示されるターゲットとポインタを変えるような検査データを生成することで、患者はメガネのレンズの色の変更や移動を行う必要がなくなるため、より容易に検査を行うことができる。
【０１０１】
その後、医師用検査装置３１の眼位検査部１５４は、演算した結果に論理的矛盾があるか否かについて、検査・機能回復データベース３８の論理的矛盾判定テーブルを参照して判断を行い、矛盾があれば医師による介入を受け付けて介入処理を行い新たに検査プログラムを生成し、患者用検査装置３２に送信し、患者用検査装置３２が実行する。検査結果に論理的矛盾がない場合に、図１２に示すような演算結果を表示部１５６に表示する。
【０１０２】
医師用検査装置３１は、演算結果を医師（検者）が診断した診断結果の入力を入力部１５１を介して入力受け付けると共に記憶部、患者カルテデータベース３７に格納し、患者用検査装置３２に送信して患者用検査装置３２は記憶部２０５に格納する。このとき、患者ＩＤ、患者氏名などが検索のパラメータとして参照できるように、ファイルに付加されて保存される。このファイルには、患者ＩＤ、患者氏名、および検査日時の他、右眼／左眼のデータ、検査・機能回復データベースと対応する検査条件（全てのパラメータ）、検査結果のデータが含まれる。
【０１０３】
その後、印刷が選択された場合、検査結果のデータに基づく印刷するデータである印刷データ（例えば、印刷結果の画像データ、または印刷結果のテキストデータ）を印刷する。具体的には、印刷データを印刷データ送信部１６１または２０７（およびＬＡＮケーブル３５）を介してプリンタ３４に送信する。プリンタ３４は、印刷データに基づく画像（または文書）を紙に印刷し、出力する。
【０１０４】
なお、本実施形態のおいては、患者用検査装置３２が検査を終了し演算をした後に医師用検査装置３１に送信するとしたが、これに限られず、患者がターゲットにポインタを合わせてポインタをクリックする毎やポインタの動きを含む操作毎にこの操作入力データに対する座標を医師用検査装置３１に送信する構成としてもよく、その場合は、例えば、医師用検査装置３１の表示装置１５６に、図１１に示されるような検査画面を表示する。
【０１０５】
図１１の表示部１５６の中央に、患者用検査装置３２の入力部２０１を用いて患者により操作されるポインタ（カーソル、丸枠）８９１の画像や、ポインタで位置を指定するための目標となるターゲット（四角い枠）８９０の画像が示される枠（フィールド）８５０を表示しており、ポインタの動きを含む操作毎に操作入力データを受信した場合には、ターゲットに対する患者のポインタ８９１の動きを見ることができる。
【０１０６】
また、医師（検者）は、適切な検査結果を導けるよう、適宜、背景（例えば、表示部２０４の背景）として、明、中、または暗を変更したりターゲットカーソルサイズ（例えば、図１０の四角い枠６６１に対応する眼位検査の場合のカーソルサイズ）として、大、中、または小を変更したり、カーソル（例えば、図１０のポインタ６５１に対応する眼位検査の場合のカーソル）の輝度として、高、中、または低を変更したり、ターゲット（例えば、図１０の四角い枠６６１に対応する眼位検査の場合のターゲット）の輝度として、高、中、または低を変更する介入処理を行うことができる。
これらの介入処理により、医師は、条件を自由に変更し、即時にこれらの条件を反映させ、検査を続行して行うことができる。これらの条件は、検査・機能回復データベースにパラメータとして保存される。また、パラメータ設定部１８１は、これらのパラメータを、次回の検査時のパラメータとして保存しておく。
【０１０７】
以上によれば、医師は、迅速に検査結果を知るとともに、定量的な検査を行うことができる。すなわち、迅速に、かつ、定量的な検査結果を得ることができる。また、適宜介入処理を行うことにより、適切な検査結果を導く事ができる。
【０１０８】
また、医師は、患者により示された点を手書きで書き留める必要もなく、迅速、かつ、容易に検査を行うことができる。さらに、検査結果のまとめ表示についても、例えば、患者が操作入力した点の連結線を手書きで引く必要もないため、検査時間を短縮することができる。
【０１０９】
[機能回復]
次に、図１５のフローチャートを参照して、医師用検査装置３１及び患者用検査装置３２における機能回復処理を説明する。本フローチャートは、次のステップにより実行され、図中の左側が患者用検査装置３２の動作を表し、右側が医師用検査装置３１の動作を表す。なお、本実施形態で述べる機能回復訓練とは、例えば、眼球の動きを司る複数の外眼筋（上直筋、下直筋、内側直筋、外側直筋、上斜筋、下斜筋）のいずれかが機能不全の場合、この機能不全の外眼筋を検査により同定し、この同定した外眼筋の作用方向に基づいて適度な負荷を繰り返して与える訓練を行うものである。
ステップＳ１２１：患者用検査装置３２が、患者の操作により複像回復訓練または眼位回復訓練の選択結果の入力を受け付けるステップ。
このステップＳ１２１は、患者用検査装置３２が、図７の複像検査動ボタン３１０または眼位置検査動作ボタン３１１の入力を受け付け、受け付けた情報を医師用検査装置３１に送信する。
ステップＳ１２２：医師用検査装置３１が機能回復テーブル６１３からカルテデータテーブル６１１に対応したパラメータ（対象眼・ターゲットサイズ・表示パターン・輝度）の抽出をするステップ。
このステップＳ１２２は、医師用検査装置３１の複機能回復部６００が、患者ＩＤと患者氏名をキーとして、医師用検査装置３１に格納される患者カルテデータベース３７から機能回復項目ＩＤを検索し、この検索した機能回復項目ＩＤをキーとして機能回復データテーブル６１３から該当のパラメータ（対象眼・ターゲットサイズ・表示パターン・輝度）を抽出するものである。
この処理は、例えば複眼回復訓練の場合、図１３に示す患者カルテデータベース３７の患者ＩＤ００１と患者名山田一郎をキーとして、該患者ＩＤ００１のカルテに登録された機能回復項目のＩＤ「Ｅ０１」を抽出し、この機能回復項目ＩＤ「Ｅ０１」をキーとして機能回復データテーブル６１３から該当のパラメータ（対象眼「右」・ターゲットサイズ「ＴＧ０１」・表示パターン「パターンＡ」・輝度「高」）を抽出するものである。
【０１１０】
ステップＳ１２３：医師用検査装置３１が、医師による介入の要否の判断を促し、判断結果を受け付けるステップ。
ステップＳ１２４：医師用検査装置３１がステップＳ６０４において介入処理が必要であるとの判断結果を受け付けた場合に介入処理を行うステップ。
このステップは、医師が患者が選択した機能回復プログラムで適切で無いと判定したとき（例えば、機能が回復しており、更に細かいリハビリの方が良いと判定したとき）、パラメータを変更する（ＩＤを変更する）。
ステップＳ１２５：医師用検査装置３１の機能回復部６００が機能回復プログラムを生成するステップ。
このステップは、医師用検査装置３１の機能回復部６００がステップＳ１２２で抽出したパラメータに応じた機能回復プログラムを生成する。機能回復プログラムには、複像回復訓練プログラムと眼位回復訓練プログラムある。
この機能回復プログラムは、あらかじめ機能回復を目的とする筋肉を同定し、その筋肉の作用方向に基づいたパラメータを機能回復データテーブル６１３に記録しておき、検査結果に応じて患者カルテデータベース３７に記録されたＩＤを検索することによりプログラムを生成し、実行し患者に適度な負荷を与えて機能回復を促すものである。なお、患者が異常と診断された検査プログラムのレベル（例えば検査データテーブル６１２のＩＤがＡ０２のターゲットサイズ他のパラメータ）より一段階弱いレベルの検査プログラムの各パラメータと同等の各パラメータ（例えば、検査データテーブル６１２のＩＤがＡ０１の各パラメータと同等の、機能回復データテーブル６１３のＩＤがＥ０１のターゲットサイズ他のパラメータ）による機能回復プログラムを患者に繰り返して行うよう構成してもよい。
【０１１１】
ステップＳ１２６：医師用検査装置３１が記憶部（図示せず）に機能回復プログラムを格納するステップ。
ステップＳ１２７：患者用検査装置３２が、医師用検査装置３１から受信した機能回復プログラムを記憶部２０５に格納するステップ。
ステップＳ１２８：患者用検査装置３２が機能回復プログラムを実行するステップ。
ステップＳ１２９：患者用検査装置３２が機能回復訓練が所定回数行われたか判定するステップ。
このステップは、患者用検査装置３２が、機能回復に必要な所定回数（例えば一回の機能回復訓練につき複像回復プログラムを２回実行等）機能回復訓練が行われたか判定する。
ステップＳ１３０：患者用検査装置３２が機能回復結果（複像回復訓練結果または眼位回復訓練結果）を演算するステップ。
このステップの演算とは、機能回復訓練（複像回復訓練または眼位回復訓練）において、患者から入力された情報をディスプレイに表示するための演算であって、例えば、患者がポインティングした画面上の位置情報に基づいて図９に示すような画像表示用のデータに変換するための処理である。
ステップＳ１３１：医師用検査装置３１が演算結果に論理的矛盾があるか否かを判断するステップ。
このステップは、医師用検査装置３１が、演算した結果に論理的矛盾があるか否かについて、検査・機能回復データベース３８の論理的矛盾判定テーブル６１４を参照して判定を行う。
ステップＳ１３２：医師用検査装置３１が、ステップＳ６１１で論理的矛盾があると判断した場合、医師による介入の受け付けをして介入処理を行い、ステップＳ１２５に戻るステップ。
このステップは、医師用検査装置３１が演算結果に論理的矛盾があると判定した場合に、医師が介入が必要か判断し、その判断結果に応じてパラメータの修正等の入力を受け付け、介入するものである。
ステップＳ１３３：医師用検査装置３１が、ステップＳ６１１で論理的矛盾がないと判定した場合、その機能回復訓練結果に対する医師（検者）の診断結果の入力を受け付けるステップ。
ステップＳ１３４：医師用検査装置３１が、診断結果を医師用検査装置３１の記憶部、患者カルテデータベース３７に格納するステップ。
ステップＳ１３５：患者用検査装置３２が医師用検査装置３１から受信した診断結果を記憶部２０５に格納するステップ。
ステップＳ１３６：患者用検査装置３２が表示部２０４に診断結果を表示し、印刷データ送信部２０７を介してプリンタ３４に送信、印刷するステップ。
ステップＳ１３７：医師用検査装置３１が表示部１５６に診断結果を表示し、印刷データ送信部１６１を介してプリンタ３４に送信、印刷するステップ。
なお、ステップＳ１３１の論理的矛盾の判定は、論理的矛盾判定データテーブル６１４を患者用検査装置３２にダウンロードしておくことにより、患者用検査装置３２によって行う事も可能であり、また、医師が個別に判断し、介入処理を行うようにしても良い。
また、ステップ１３３の診断結果の入力は必須ではなく、論理的矛盾があるか否かの判定後、検査または機能回復結果を各検査装置の記憶部に格納するようにしても良い。
また、論理的矛盾があるか否かの判定は必須ではなく、個別に医師が判断するようにしてもよい。
【０１１２】
上記により、あらかじめ設定したレベルの機能回復訓練を繰り返すことによって、患者の視覚を通して、視機能を支配する視神経系に刺激を与え、患者の視機能と、視機能を支配する脳神経の回復を促すことができる。また、機能回復の結果に応じて、次回の機能回復レベルを設定し直すことにより、常に適度な負荷を与えた機能回復の動作を行うことができる。
【０１１３】
また、複像検査と眼位検査の２つの検査のみならず、機能回復についても１台の検査システムで行うことができるため、検査装置を縮小化することができる。
【０１１４】
また、この眼科検査の項目は、上述した処理を実行するプログラムのインストールによっても実現できるので、複像検査と眼位検査の他に、さらに検査が増えた場合にも、その検査に対応するプログラムをインストールすれば容易に実現することができる。
【０１１５】
さらに、ターゲットの位置と指定されたポインタの位置との関係を示すデータ（検査結果のデータ）がファイルとして記憶されるため、患者のＩＤなどに基づいて容易に検索することができ、もって、検査結果について、同一の患者の経時的な変化を調べたり、複数の患者間の比較や統計的なデータを得ることに利用することができる。
【０１１６】
さらに、被験者用検査装置３２の表示部２０４に表示されるターゲット６５０とポインタ６５１の色を反転させることにより、患者は装着しているメガネのレンズの色を反転させずに検査を行うことができるので、より迅速に検査を行うことができる。
【０１１７】
なお、以上の例では、本発明を、図２の検査システム２０に適用した場合について説明したが、これに限らず、患者が画面を見て、その結果を入力する為の、ディスプレイとポインティングデバイス、並びに医師が検査項目や機能回復項目を設定する為の入力デバイスを備えたディスプレイなどからなる１つの装置についても、本発明を適用することができる。すなわち、図２の検査システム２０を構成する複数の装置ではなく、これらの複数の装置が１つの装置に搭載された検査装置においても、本発明を適用することができる。
【０１１８】
さらに、以上の例では、眼の検査の為のレンズを赤色のレンズと緑色のレンズとしたが、これは適宜変更するようにしてもよい。この場合、レンズの色にあわせて、表示部２０４に表示されるターゲットとポインタの色も変更される。また、レンズは眼の悪い人の為に度数付きのものであってもよい。
【０１１９】
また、以上の例では、眼の検査の為に患者に色付きのレンズ（カラーフィルタの眼鏡）を装着させるようにして検査を行うと説明したが、これに限らず、ターゲットを左右の眼のうちのいずれか一方の眼に見えるようにし、ポインタを他方の眼に見えるようにする構成であればよい。
【０１２０】
具体的な例としては、右と左の偏向の方向が異なる偏光フィルタを用いたメガネを患者に掛けさせることで、左眼でターゲットとポインタのいずれか一方を見せ、右眼で他方を見せさせるようにする方法であってもよいし、左右の眼に掛けたシャッター（例えば液晶シャッター）を交互に開閉して表示を同期させることで、左眼でターゲットとポインタのいずれか一方を見せ、右眼で他方を見せさせるようにする方法であってもよい。また、表示部に視差バリアを設け、表示部の隣り合った２点から発する２つの光の一方が左眼に入射し、他方が右眼に入射するようにした表示部（例えば、３次元液晶ディスプレイ）を用いることで、左眼でターゲットとポインタのいずれか一方を見せ、右眼で他方を見せさせるようにする方法であってもよい。それらのいずれの方法を用いても、患者に、左眼でターゲットとポインタのいずれか一方を見せ、右眼で他方を見せさせるようにすることができるので、医師用検査装置３１が、患者用検査装置３２の表示部２０４にターゲットとポインタを表示させ、患者による入力部２０１への操作（ターゲットにポインタが重なるような操作）に対するポインタの移動に基づく操作データを取得することにより検査や機能回復を行うことができる。
【０１２１】
また、以上の例では、医師用検査装置３１と被医師用検査装置３２をそれぞれ一般的なパーソナルコンピュータとしたが、実際には、例えば、組込型コンピュータであってもよい。
【０１２２】
なお、ターゲットとポインタの形は、四角や丸に限らず、どのような形であってもよい。
【０１２３】
上述した一連の処理は、ハードウエアにより実行させることもできるし、ソフトウエアにより実行させることもできる。一連の処理をソフトウエアにより実行させる場合には、そのソフトウエアを構成するプログラムが、ネットワークや記録媒体からインストールされる。
【０１２４】
この記録媒体は、コンピュータとは別に、ユーザにプログラムを提供するために配布される、プログラムが記録されているリムーバブルメディアよりなるパッケージメディアにより構成されるだけでなく、装置本体に予め組み込まれた状態でユーザに提供される、プログラムが記録されているＲＯＭや記憶部が含まれるハードディスクなどで構成される。
【０１２５】
なお、本明細書において、コンピュータプログラムを記述するステップは、記載された順序に従って時系列的に行われる処理はもちろん、必ずしも時系列的に処理されなくとも、並列的あるいは個別に実行される処理をも含むものである。
【符号の説明】
【０１２６】
２０ 検査システム、
３１ 医師用検査装置、
３２ 患者用検査装置、
３４ プリンタ、
１５１ 入力部、
１５３ 複像検査部、
１５４ 眼位検査部、
１５６ 表示部、
１７１ パラメータ設定部、１７２ 複像検査実行部、
１８１ パラメータ設定部、１８２ 眼位検査実行部、
２０１ 入力部、
２０４ 表示部、
６００  機能回復部、
６０１  パラメータ設定部、６０２  機能回復実行部、  
５００  介入処理部、
３７  患者カルテデータベース、
３８  検査・機能回復データベース
【図１】
0006537241.tif 000002
【図２】
0006537241.tif 000003
【図３】
0006537241.tif 000004
【図４】
0006537241.tif 000005
【図５】
0006537241.tif 000006
【図６】
0006537241.tif 000007
【図７】
0006537241.tif 000008
【図８】
0006537241.tif 000009
【図９】
0006537241.tif 000010
【図１０】
0006537241.tif 000011
【図１１】
0006537241.tif 000012
【図１２】
0006537241.tif 000013
【図１３】
0006537241.tif 000014
【図１４】
0006537241.tif 000015
【図１５】
0006537241.tif 000016